(57)【要約】【課題】ドレンパンに溜まったドレン水をドレンポンプで排出させるとき、排水ホースの接続部分で水漏れしないようにした空気調和機を提供すること。【解決手段】被空調室の天井に取り付け固定される空気調和機本体１の内部に収納される熱交換器２の熱交換作用に伴って排出するドレン水を溜めるドレンパン３と、ドレンパン３のドレン水を排出するドレンポンプ４を設け、ドレンポンプ４のドレン水を吐出する吐出口７に排水ホース８を接続し、排水ホース８の他端を空気調和機本体１の機外側に突き出す構成としたことによって、排水ホース８の途中での接続がないためドレン水が安定して機外まで導かれ水漏れの可能性を排除できる。【選択図】図１
2009257622.tif 000002
【特許請求の範囲】
【請求項１】
被空調室の天井に取り付け固定される空気調和機本体と、前記空気調和機本体の内部に収納される熱交換器と、前記熱交換器の熱交換作用に伴って排出するドレン水を溜めるドレンパンと、前記ドレンパンの前記ドレン水を排出するドレンポンプを設け、前記ドレンポンプの前記ドレン水を吐出する吐出口に排水ホースを接続し、前記排水ホースの他端を前記空気調和機本体の機外側に突き出す構成とした天井埋め込み形空気調和機。
【請求項２】
排水ホースの中間部に空気調和機本体の側面に接する側板係止部を設け、前記側板係止部の一方に傾斜面と直角面を有する抜け止め部を設け、また他方に他の排水ホース部分より径が大きいストッパー部を設け、前記空気調和機本体の側面に側板貫通穴部を設け、前記側板係止部と前記側板貫通穴部が係合して排水ホースを固定した請求項１に記載の天井埋め込み形空気調和機。
【請求項３】
空気調和機本体の機外側に突き出した排水ホースにさらに外側蛇腹部を設けた請求項１または２に記載の天井埋め込み形空気調和機。
【発明の詳細な説明】
【技術分野】
【０００１】
本発明は、天井埋め込み形空気調和機のドレン水の排水構造に関するものである。
【背景技術】
【０００２】
近年、特に居住空間への露出が少なく外観が良好なことから天井埋め込み形の空気調和機が普及している。そして、この種の空気調和機には、熱交換作用に伴って生成されるドレン水を容易に排出させるためドレンポンプを設けることが一般的であり、ドレンポンプの一端に排出ホースを接続してドレンパンに溜まったドレン水をアップさせて機外に排出している（例えば、特許文献１参照）。
【０００３】
図６は、特許文献１に記載された従来のドレン水排出構造の断面図を示すものである。図６に示すように、空気調和機１の内部には、熱交換器２、ドレンパン（露受皿）３、ドレンポンプ４が設けられ、ドレンポンプ４の一端には排水ホース（接続ホース）８が接続され、排水ホース８の先端には、排水口部２０が設けられている。排水ホース８と排水口部２０は、バンド８ａで固定され、また排水口部２０の下端には、導水部材２１が設けられている。
【０００４】
ドレンパン３に溜まったドレン水は、ドレンポンプ４によってアップされ、排水ホース８を経由して排水口部２０へ移動し機外へ導かれる。図示はないが排水口部２０の先端には、現場で排水管が接続されて排水管を経由してドレン水は排水処理される。
【特許文献１】特開２０００−６５３８３号公報
【発明の開示】
【発明が解決しようとする課題】
【０００５】
しかしながら、前記従来の天井埋め込み形空気調和機では、排水ホースと排水口部が接続されているため、ドレンポンプの振動などで接続部が緩んだりしてドレン水が漏れる可能性があり、接続部にバンドを設けて接続を強化したり、導水部材を設けて万一の水漏れの際のドレン水処理を配慮しているものの、バンド固定では接続の強度が不足し、また導水部材の水処理も水切形状の不備から完全なものではなく、ドレン水が機外に漏れる可能性があった。
【０００６】
また、排水ホースと排水口部を接続したり、またその部分にバンドを締め付けたり、さらに排水口部を空気調和機本体にネジなどでの固定が必要であり、組み立て工数がかかってコストアップとなっていた。
【０００７】
また、排水口部は、空気調和機本体の側面に固定する構成のため、現場での排水口部と排水管の接続の方向が一方向となってしまうという制約があり、自在性に欠けるものとなっていた。
【０００８】
本発明は、前記従来の課題を解決するもので、排水ホースの途中での接続をなくしてドレン水の漏れの可能性を排除し、組み立て性が良好でかつ、排水管接続作業の制約を少なくした排水構造の天井埋め込み形空気調和機を提供することを目的とする。
【課題を解決するための手段】
【０００９】
前記従来の課題を解決するために、本発明の天井埋め込み形空気調和機は、ドレンポンプに接続する排水ホースを空気調和機本体の機外側に突き出す構成としたものである。これによって、排水ホースの途中での接続がなくドレン水が安定して機外まで導かれる。
【発明の効果】
【００１０】
本発明の天井埋め込み形空気調和機は、ドレン水の漏れの可能性を排除し、万一の水漏れの際のドレン水処理を配慮しなくともよいので部品点数や組み立て工数を削減できるので、コストダウンに寄与でき、安価で品質のよい空気調和機を提供することができる。
【発明を実施するための最良の形態】
【００１１】
第１の発明は、被空調室の天井に取り付け固定される空気調和機本体と、空気調和機本体の内部に収納される熱交換器の熱交換作用に伴って排出するドレン水を溜めるドレンパンと、ドレンパンのドレン水を排出するドレンポンプを設け、ドレンポンプのドレン水を吐出する吐出口に排水ホースを接続し、排水ホースの他端を空気調和機本体の機外側に突き出す構成としたので、その突き出した排水ホースの先端に現場の排水管を接続でき、排水ホースがドレンポンプと現場の排水管を直接接続した形となり、途中経路での接続が一切ないため、ドレン水が安定して導かれドレン水の漏れの可能性を排除できる。
【００１２】
第２の発明は、排水ホースの中間部に空気調和機本体の側面に接する側板係止部を設け、側板係止部の一方に傾斜面と直角面を有する抜け止め部を設け、また他方に他の排水ホース部分より径が大きいストッパー部を設け、前記空気調和機本体の側面に側板貫通穴部を設け、前記側板係止部と前記側板貫通穴部を係合して排水ホースを固定したから、排水ホースを部品を介在させることなく固定構造を一体に形成して直接空気調和機本体の側面に固定することができ、しかもネジやバンドなどを使用することがないから組み立て工数を低減できてコストダウンすることができる。
【００１３】
第３の発明は、空気調和機本体の機外側に突き出した排水ホースにさらに外側蛇腹部を設けたから、機外側での排水ホースのフレキシブル性を確保し、排水ホースの方向を自在に選択できて、その先端に現場の排水管を接続でき現場の排水管に対して空気調和機本体から導出するドレン出口との位置あわせが容易になって配管の方向に対する施工上の制約が少なくなり配管接続作業の自在性が増加する。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における天井埋め込み形空気調和機のドレン水排出構造の断面図、図２は、本発明の第１の実施の形態における排水ホース全体の正面図、図３は、本発明の第１の実施の形態における排水ホースの中間部分の拡大図、図４は、本発明の第１の実施の形態における排水ホースと空気調和機本体の係合部の拡大図、図５は、本発明の第１の実施の形態における排水ホースと排水管の接続を示す平面図を示すものである。
【００１６】
図１において、空気調和機本体１は、室内空気と冷媒との熱交換を行う熱交換器２、熱交換器２の下部で熱交換器２から排出するドレン水を溜めるドレンパン３、ドレンパン３に貯留されたドレン水をアップさせるドレンポンプ４を有している。
【００１７】
ドレンポンプ４には、ドレンポンプ４の作動のための駆動モーター５とドレン水を吸い込む吸水口６とドレン水を吐出させる吐出口７が設けられている。ドレン水を機外へ運ぶ排水ホース８は、一方はドレンポンプ４の吐出口７と接続され、他方は、現場で施工される排水管９と接続される。
【００１８】
排水ホース８は、全体的に蛇腹形状を有した半硬質の円筒体でブロー成形などにより成
形されており、部品単体では、図２のように直線状態であるが、所定の位置に装着されるとその蛇腹部分が必要な形状に屈曲されて使用される。またその中間部分には、三角形状の抜け止め部１０と蛇腹形状よりその径が大きいストッパー部１１が設けられ、抜け止め部１０とストッパー部１１にはさまれた側板係止部１２が空気調和機本体１の側板貫通穴部１３に位置して設けられる。
【００１９】
つまり、排水ホース８の空気調和機本体１への装着は、空気調和機本体１の外部から側板貫通穴部１３に排水ホース８のドレンポンプ４との接続側を挿入して排水ホース８の抜け止め部１０が側板貫通穴部１３を乗り越えた位置で側板貫通穴部１３の一方に抜け止め部１０、他方にストッパー部１１で挟まれて固定される（図３及び図４参照）。
【００２０】
抜け止め部１０は、図３のように一方は傾斜面１４を形成していて、さらに排水ホース８の材料が半硬質材料であるため抜け止め部１０が弾性変形して挿入は容易であり、また他方の側板係止部１２側に直角面１５を形成しているため一旦挿入すると外れない。
【００２１】
また、ストッパー部１１の機外側にも外側蛇腹部１６を有しており、空気調和機本体１の外側での排水ホース８のフレキシブル性が確保されている。
【００２２】
以上のように構成されたドレン水の排水構造について、以下その動作、作用を説明する。
【００２３】
ドレンポンプ４の作動によりドレンパン３に溜まったドレン水は、ドレンポンプ４の吸水口６から吸い込まれ、吐出口７から排出される。吐出口７には排水ホース８が接続されているためドレン水は排水ホース８の中を押し上げられて移動し、排水ホース８の機外側に接続されている排水管９に達する。排水管９は下がり勾配に設置されているため、それ以降、ドレン水は重力で下降して排出される。
【００２４】
以上のように、本実施の形態においては排水ホース８は、ドレンポンプ４の吐出口７と現場の排水管９を直接的に接続しており、途中での接続が一切ないためドレン水が安定して導かれ、ドレン水の漏れの可能性を排除できる。
【００２５】
また、本実施の形態では、排水ホース８の中間部に側板係止部１２を設け、側板係止部１２の一方に傾斜面１４と直角面１５を有する抜け止め部１０を設け、また他方に全体の蛇腹形状より径が大きいストッパー部１１を設けたから排水ホース８を直接空気調和機本体の側面に固定することができ、組み立て工数を低減できる。
【００２６】
また、本実施の形態では、空気調和機本体１の機外側に突き出した排水ホース８にさらに外側蛇腹部１６を設けたから現場の排水管９の向きに対して図５のように空気調和機本体１から導出するドレン出口との位置あわせが容易になって配管接続作業の自在性が増加する。
【００２７】
尚、排水ホース８は、全体的に蛇腹形状を有しており、部品単体では、直線状態であると記載したが、部品単体で屈曲形状を有していて必要なところ意外は蛇腹形状でなくてもその作用、効果にはまったく差がないことは言うまでもない。
【産業上の利用可能性】
【００２８】
以上のように、本発明にかかる天井埋め込み形空気調和機は、部品の接続及び部品点数を少なくして水漏れの可能性を排除したから、そのドレン水排出構造は天吊形空気調和機等の用途にも適用できる。
【図面の簡単な説明】
【００２９】
【図１】本発明の実施の形態１における天井埋め込み形空気調和機のドレン水排出構造の断面図
【図２】本発明の実施の形態１における排水ホース全体の正面図
【図３】本発明の実施の形態１における排水ホースの中間部分の拡大図
【図４】本発明の実施の形態１における排水ホースと空気調和機本体の係合部の拡大図
【図５】本発明の実施の形態１における排水ホースと排水管の接続を示す平面図
【図６】従来のドレン水排出構造の断面図
【符号の説明】
【００３０】
１  空気調和機本体
２  熱交換器
３  ドレンパン
４  ドレンポンプ
５  駆動モーター
６  吸水口
７  吐出口
８  排水ホース
８ａ  バンド
９  排水管
１０  抜け止め部
１１  ストッパー部
１２  側板係止部
１３  側板貫通穴部
１４  傾斜面
１５  直角面
１６  外側蛇腹部
２０  排水口部
２１  導水部材
【図１】
2009257622.tif 000003
【図２】
2009257622.tif 000004
【図３】
2009257622.tif 000005
【図４】
2009257622.tif 000006
【図５】
2009257622.tif 000007
【図６】
2009257622.tif 000008